(57)【要約】【課題】生産効率の改善が可能で、かつマグネットブロックの位置決め精度又は接合後の真直度、円周方向の位置精度の向上を可能とし、現像ローラの品質向上も可能な現像ローラ製造装置を提供する。【解決手段】  非磁性スリーブ４１ａの内部に磁石ローラを配置した現像ローラ４１の製造装置であって、略円筒状マグネット４１ｂの現像極に相当する部分の表面の軸方向に設けられた溝部Ｄに、マグネットブロック４１ｃを位置決め、固定して前記磁石ローラを形成するものであり、前記マグネットブロック４１ｃの上部の形状に合わせて、前記マグネットブロック４１ｃを上部より押さえ、位置決め・固定する手段を備える現像ローラ４１の製造装置である。【選択図】図３
2005266518.tif 000002
【特許請求の範囲】
【請求項１】
非磁性スリーブの内部に磁石ローラを配置した現像ローラの製造装置であって、
略円筒状マグネットの現像極に相当する部分の表面の軸方向に設けられた溝部に、マグネットブロックを位置決め、固定して前記磁石ローラを形成するものであり、
前記マグネットブロックの上部の形状に合わせて、前記マグネットブロックを上部より押さえ、位置決め・固定する手段を備える  ことを特徴とする現像ローラの製造装置。
【請求項２】
請求項１に記載の現像ローラの製造装置において、  前記マグネットブロックを上部より押さえ、位置決め・固定する手段は、前記マグネットブロックを固定する固定具と空気吸引手段とを含み、前記空気吸入手段によって生じる空気の差圧によって前記固定具が前記マグネットブロックの上部に吸着する  ことを特徴とする現像ローラの製造装置。
【請求項３】
請求項１又は２に記載の現像ローラの製造装置において、  前記マグネットブロックの上部の形状がＲ形状であり、前記固定具の前記マグネットブロック上部に吸着する部分の形状をＲ形状とする  ことを特徴とする現像ローラの製造装置。
【請求項４】
請求項１又は２に記載の現像ローラの製造装置において、  前記マグネットブロックの上部の形状がテーパ形状であり、前記固定具の前記マグネットブロック上部に吸着する部分の形状をテーパ形状とする  ことを特徴とする現像ローラの製造装置。
【請求項５】
請求項１又は２に記載の現像ローラの製造装置において、  前記マグネットブロックの上部の形状がフラット形状であり、前記固定具の前記マグネットブロック上部に吸着する部分の形状がフラット形状である  ことを特徴とする現像ローラの製造装置。
【請求項６】
請求項１ないし５のいずれかに記載の現像ローラの製造装置において、  前記固定具は、非磁性材料で構成されている  ことを特徴とする現像ローラの製造装置。
【請求項７】
請求項１ないし６のいずれかに記載の現像ローラの製造装置において、  前記固定具の前記マグネットブロック上部に吸着する部分の幅は、前記マグネットブロックの幅よりも狭い  ことを特徴とする現像ローラの製造装置。
【請求項８】
請求項１ないし７のいずれかに記載の現像ローラの製造装置において、  前記固定具は、固定具内部の空気の流出入を行う空気口を備える  ことを特徴とする現像ローラの製造装置。
【請求項９】
請求項８に記載の現像ローラの製造装置において、  前記固定具は、前記空気口を長手方向に複数備える  ことを特徴とする現像ローラの製造装置。
【請求項１０】
請求項８又は９に記載の現像ローラの製造装置において、  前記固定具は、前記空気口を幅方向に複数備える  ことを特徴とする現像ローラの製造装置。
【請求項１１】
非磁性スリーブの内部に磁石ローラを配置した現像ローラであって、  前記磁石ローラは、磁性粉と高分子化合物を混合して成形した略円筒状マグネットと、該略円筒状マグネットの現像極に相当する部分に、極性が相反する少なくとも２つのマグネットブロックを隣接して埋め込んで構成されるものであり、
前記マグネットブロックを上部より押さえ、位置決め・固定して、前記略円筒形状マグネットの軸方向に設けられた溝部に接合して形成される  ことを特徴とする現像ローラ。
【請求項１２】
請求項１１に記載の現像ローラにおいて、  前記マグネットブロックは、その上部の形状が、Ｒ形状もしくはテーパ形状である  ことを特徴とする現像ローラ。
【請求項１３】
現像剤を現像ローラに汲み上げて、現像ローラ上に磁気ブラシを形成し、潜像担持体に現像剤を摺擦させて潜像を可視像化する現像装置を備えた画像形成装置において、
前記現像ローラは請求項１１又は１２に記載の現像ローラである  ことを特徴とする画像形成装置。
【発明の詳細な説明】
【技術分野】
【０００１】
本発明は、複写機、プリンタ、ファクシミリ等の画像形成装置において、静電潜像を現像するために用いる現像ローラ、及びその製造装置に関する。
【背景技術】
【０００２】
電子写真その他の、粉体トナーを用いた画像形成方法において、二成分現像剤を用いた磁気ブラシ現像は周知であり、複写機、プリンタ、ファクシミリ等の画像形成装置において広く利用されている。
【０００３】
磁気ブラシ現像では、現像剤担持体の表面に現像剤を搬送し、現像剤をブラシ状（磁気ブラシ）に保持させて像担持体に接触させ、静電潜像が形成された像担持体と電気的バイアスが印加されたスリーブとの間の電界によってトナーが潜像面に選択的に付着することにより、現像が行われる。
【０００４】
上記現像剤担持体は、通常、スリーブとして構成され、このスリーブ表面に現像剤の穂立ちを生じさせるように磁界を形成する磁石体（磁石ローラ）を非磁性スリーブ内部に配置した現像ローラである。穂立ちの際、キャリアが磁石ローラで生じる磁力線に沿うようにスリーブ上に穂立ちすると共に、この穂立ちに係るキャリアに対して帯電トナーが付着されている。上記磁石ローラは、複数の磁極を有し、それぞれの磁極を形成する磁石が棒状などに構成されていて、特にスリーブ表面の現像領域部分では現像剤を立ち上げる現像主磁極を備えている。上記スリーブと磁石ローラの少なくとも一方が動くことでスリーブ表面に穂立ちを起こした現像剤が移動するようになっており、現像領域に搬送された現像剤は上記現像主磁極から発せられる磁力線に沿って穂立ちを起こし、この現像剤のチェーン穂は撓むように潜像担持体表面に接触し、接触した現像剤のチェーン穂が潜像担持体との相対線速差に基づいて静電潜像と擦れ合いながら、トナー供給を行う。なお、現像領域とは、スリーブ上で磁気ブラシが立ち上がり潜像担持体と接触している範囲とする。
【０００５】
従来の磁気ブラシ現像装置においては、画像濃度を高くするための現像条件と低コントラスト画像を良好に得るための現像条件とが両立せず、高濃度部と低濃度部との双方を同時に改善することが困難である。即ち、画像濃度を高くするための現像条件としては、(i)潜像担持体と現像ローラとの間隔である現像ギャップを狭くすること、あるいは(ii)現像領域幅を広くすることなどが挙げられる。一方、低コントラスト画像を良好に得るための現像条件としては、(i')現像ギャップを広くすること、あるいは(ii')現像領域幅を狭くすることなどがある。つまり、双方の現像条件は相対するものであって両立せず、全濃度域にわたって双方の条件を満たして良質な画像を得ることは一般に困難とされている。
【０００６】
例えば低コントラスト画像を重視する場合には、ベタラインのクロス部や黒ベタ、ハーフトーンベタ画像の後端部に白抜けを生じる所謂「後端白抜け」と称される異常画像が発生しやすい。また同じ幅で形成した格子画像の横線が縦線よりも細くなったり、１ドットなどの小さい点画像が現像されないなどの現象も発生している。
【０００７】
このような従来からの課題であった画像濃度を高くするための現像条件と低コントラスト画像を良好に得るための現像条件とを高い時点で満足させ、全濃度域にわたって良質な画像を得るための現像方法及び現像装置等を本願出願人は先に提案している（特許文献１参照）。
【０００８】
この現像装置に用いられる現像ローラは、現像極に相当する部分に、極性が相反する少なくとも２つのマグネットブロックを隣接して配置して構成されることを特徴とする。このような現像ローラの従来の製造方法について説明する。
図１２（ａ）に示す構成からなる現像ローラの製造方法Ａは、金属または樹脂からなる芯金一体型のホルダーに、マグネットブロックを貼り付ける方法であり、メリットとして磁極の位置精度が良い反面、デメリットとしてマグネットブロックを貼り付けるホルダーのコストが高く、また工数が多くなる。
図１２（ｂ）に示す構成からなる現像ローラの製造方法Ｂは、芯金にマグネットブロックを貼り付ける方法であり、製造方法Ａと比べて、芯金のコストが安いメリットがあるが、磁極位置精度は高くないこと、また製造方法Ａ同様工数が多くなるデメリットを持つ。
図１２（ｃ）に示す構成からなる現像ローラの製造方法Ｃは、マグネット成形品にマグネットブロックを貼り付ける方法である。マグネット成形品には射出成形と押出成形があるが、特徴としては円周方向で一体形状をしている。射出成形のメリットとしては高磁力が得やすく磁極位置等比較的安定した特性が得られるが、設備が煩雑となり加工タクトもかかる。また押出成形のメリットとしては加工タクトが短い反面、デメリットとして成形品特性の制御が困難であることが挙げられる。
【０００９】
また、上記従来の現像ローラの製造方法の共通の問題点として、従来は、マグネットブロックの反りや曲がりの影響による設備の搬送トラブル（マグネットブロックの引掛りなど）、治具セット時の作業性の悪さが起因するタクトオーバーによる生産性の低下、及び現像ローラ溝部にマグネットブロックを接着剤にて接合する前の固定具による位置決めの際、バリ・カス・異物付着等の原因になるため掴みしろがとれないことによるマグネットブロックの反りや曲がりが矯正できないこと、その結果位置決めが難しいこと、接合時の位置決め又は接合後の真直度、円周方向の位置精度などに影響があり不良を発生させ設備停止等のトラブルを招き、結果として生産効率が悪くなるという問題があった。
【００１０】
【特許文献１】特開２０００−３０５３６０号公報
【発明の開示】
【発明が解決しようとする課題】
【００１１】
本発明は、上記問題点に鑑み、従来の製造方法で問題となっていた生産効率の改善が可能で、かつマグネットブロックの位置決め精度又は接合後の真直度、円周方向の位置精度の向上を可能とし、現像ローラの品質向上も可能な製造装置を提供することを課題とする。
【課題を解決するための手段】
【００１２】
上記課題を解決するために、本発明は以下のことを特徴とする。
１．本発明は、非磁性スリーブの内部に磁石ローラを配置した現像ローラの製造装置であって、略円筒状マグネットの現像極に相当する部分の表面の軸方向に設けられた溝部に、マグネットブロックを位置決め、固定して前記磁石ローラを形成するものであり、前記マグネットブロックの上部の形状に合わせて、前記マグネットブロックを上部より押さえ、位置決め・固定する手段を備える現像ローラの製造装置である。
２．前記マグネットブロックを上部より押さえ、位置決め・固定する手段は、前記マグネットブロックを固定する固定具と空気吸引手段とを含み、前記空気吸入手段によって生じる空気の差圧によって前記固定具が前記マグネットブロックの上部に吸着することを特徴とする。
【００１３】
３．前記現像ローラの製造装置において、前記マグネットブロックの上部の形状がＲ形状であり、前記固定具の前記マグネットブロック上部に吸着する部分の形状をＲ形状とすることを特徴とする。
４．前記現像ローラの製造装置において、前記マグネットブロックの上部の形状がテーパ形状であり、前記固定具の前記マグネットブロック上部に吸着する部分の形状をテーパ形状とすることを特徴とする。
５．前記現像ローラの製造装置において、前記マグネットブロックの上部の形状がフラット形状であり、前記固定具の前記マグネットブロック上部に吸着する部分の形状がフラット形状であることを特徴とする。
【００１４】
６．前記固定具は、非磁性材料で構成されていることを特徴とする。
７．前記固定具の前記マグネットブロック上部に吸着する部分の幅は、前記マグネットブロックの幅よりも狭いことを特徴とする。
【００１５】
８．前記固定具は、固定具内部の空気の流出入を行う空気口を備えることを特徴とする。
９．前記固定具は、前記空気口を長手方向に複数備えることを特徴とする。
１０．前記固定具は、前記空気口を幅方向に複数備えることを特徴とする。
【００１６】
１１．また、本発明は、非磁性スリーブの内部に磁石ローラを配置した現像ローラであって、前記磁石ローラは、磁性粉と高分子化合物を混合して成形した略円筒状マグネットと、該略円筒状マグネットの現像極に相当する部分に、極性が相反する少なくとも２つのマグネットブロックを隣接して埋め込んで構成されるものであり、前記マグネットブロックを上部より押さえ、位置決め・固定して、前記略円筒形状マグネットの軸方向に設けられた溝部に接合して形成される現像ローラである。
１２．前記現像ローラにおいて、前記マグネットブロックは、その上部の形状が、Ｒ形状もしくはテーパ形状であることを特徴とする。
【００１７】
１３．また、本発明は、現像剤を現像ローラに汲み上げて、現像ローラ上に磁気ブラシを形成し、潜像担持体に現像剤を摺擦させて潜像を可視像化する現像装置を備えた画像形成装置において、前記いずれかの現像ローラを備える画像形成装置である。
【発明の効果】
【００１８】
本発明によれば、現像ローラの生産効率の改善が可能で、かつマグネットブロックの位置決め精度又は接合後の真直度、円周方向の位置精度の向上が可能であり、装置の簡素化もされた現像ローラの製造装置を提供することができる。
また、本現像ローラの製造装置により、現像ローラの品質を向上させることができ、更にこの現像ローラを備える画像形成装置により、高品質の画像を形成することができる。
【発明を実施するための最良の形態】
【００１９】
以下に、本発明の実施の形態を図面に基づいて説明する。
図１は、本発明に係る現像ローラの構成を示す図である。現像ローラ４１のスリーブ４１ａ内には、当該現像スリーブ４１ａの周表面に現像剤の穂立ちを生じるように磁界を形成する磁石ローラ体（磁石ローラ）が固定状態で備えられる。この磁石ローラ体は、略円筒形状のマグネット４１ｂの現像主極部に相当する部分の表面に、軸方向に溝を設け、この溝部にマグネットブロック４１ｃを接合した構成となっている。この磁石ローラ体から発せられる法線方向磁力線に沿うように、現像剤のキャリアが現像スリーブ４１ａ上にチェーン状に穂立ちを起こし、このチェーン状に穂立ちを生じたキャリアに帯電トナーが付着されて、磁気ブラシが構成される。当該磁気ブラシは現像スリーブ４１ａの回転によって現像スリーブ４１ａと同方向に移送されることとなる。
尚、現像スリーブ４ａは、アルミニウム、真鍮、ステンレス、導電性樹脂などの非磁性体を円筒形に形成したものである。
【００２０】
略円筒状マグネット４１ｂとマグネットブロック４１ｃからなる磁石ローラ体は、複数の磁極を有している。図１に示すように、３つのマグネットブロック４１ｃによって現像領域部分に現像剤の穂立ちを生じさせる現像極と、現像スリーブ４１ａ上に現像剤を汲み上げるための汲み上げ極（図１においてスリーブ４１ａの左斜め下方向に広がるＮ極）と、汲み上げられた現像剤を現像領域まで搬送するための搬送極（マグネットブロック４１ｃによる現像主磁極の上流側：図の左側に広がるＳ極）と、現像後の領域で現像剤を搬送する磁極（マグネットブロック４１ｃによる現像主磁極の上流側：図の右側のＳ極）である。本実施の形態においては、現像極を３つの（３極の）マグネットブロック４１ｃにより形成しているが、２つ以上（２極以上）のマグネットブロック４１ｃにより現像極を形成してもよい。図１には、現像ローラ４１における、ローラ半径方向（法線方向）の磁力分布とその大きさを破線により示してある。
【００２１】
略円筒状マグネット４１ｂは、現像主極以外の磁気特性を形成する部分であり、射出成形あるいは押出成形により製造したものである。材料としては磁性粉に高分子化合物を混合したプラスチックマグネットもしくはゴムマグネットを用いることが多い。磁性粉としてはＳｒフェライトないしＢａフェライトを用い、高分子化合物としては６ＰＡもしくは１２ＰＡ等のＰＡ（ポリアミド）系材料、ＥＥＡ（エチレン・エチル共重合体）又はＥＶＡ（エチレン・ビニル共重合体）等のエチレン系化合物、ＣＰＥ（塩素化ポリエチレン）等の塩素系材料、ＮＢＲ等のゴム材料を使用することができる。
【００２２】
また、現像主極を形成するマグネットブロック４１ｃは、現像ローラ４１軸方向に延びる棒状のブロックであり、幅が狭く且つ高い磁気特性を得るために、Ｂｒ＞０．５Ｔ（テスラ）の材料を用いることが望ましく、多くはＮｅ系（Ｎｅ・Ｆｅ・Ｂ等）又はＳｍ系（Ｓｍ・Ｃｏ、Ｓｍ・Ｆｅ・Ｎ等）の希土類マグネットもしくはこれらのマグネット粉を上記と同様の高分子化合物と混合したプラスチックマグネットもしくはゴムマグネットを用いることができる。
【００２３】
更に、例えば現像ローラ４１がφ１６〜φ２０であると、スリーブ４１ａ表面の磁束密度として８０〜９０ｍＴが必要となり、現像主極部のマグネットブロックの形状としては構成上、巾２ｍｍ、高さ３ｍｍ程度の大きさに収める必要がある。
【００２４】
図１３は、従来の現像ローラ製造装置において用いられている、略円筒状マグネット４１ｂの表面に形成された溝部へのマグネットブロック４１ｃの位置決め方法を説明する図である。受け台２２上のマグネットブロック４１ｃの上部を固定具２１で押さえ、２つの押さえ具２３、２４によって挟み込む構造となっている（図１３（１）、（２））。押さえ具２３、２４の一方は、マグネットブロック４１ｃの位置決めとなる基準側の押さえ具２３であり、もう一方は、稼働側の押さえ具２４である。挟み込まれたマグネットブロック４１ｃは、接着剤Ｂが注入された略円筒状マグネット４１ｂの溝部Ｄの上部にセットされる（図１３（３））。固定具２１が下方に稼働することで、マグネットブロック４１ｃは略円筒状マグネット４１ｂの溝部Ｄに埋め込まれ、接合される（図１３（４））。
【００２５】
しかしながら、上記方法を用いる場合、図１４に示すように、マグネットブロック４１ｃの高さｈと、溝部Ｄの深さＨの関係が、ｈ＞Ｈとなっていないと、略円筒状マグネット４１ｂの溝部Ｄにマグネットブロック４１ｃを接合する際、マグネットブロック４１ｃを押さえ具２３、２４で挟んだ状態で位置決めをすることは難しい。したがって、マグネットブロック４１ｃが略円筒状マグネット４１ｂの表面形状より凸となってしまう。また、略円筒状マグネット４１ｂの溝角部をフラット形状にし、マグネットブロック４１ｃの端部に挟むための掴みしろを持たせなければならない。
一方、上記のように略円筒状マグネット４１ｂの表面形状より、接合したマグネットブロック４１ｃが凸になると、次工程において磁石ローラ体円周上表面にスリーブ４１ａを被せるため、スリーブ４１ａとマグネットブロック４１ｃ上部が接触してしまう可能性がある。もとより、スリーブ４１ａと現像ローラ４１に配置されるマグネットブロック４１ｃとの距離は近接している必要がある。これは近接していることで、高磁力にした効果を発揮できるためである。
また、図１４に示すように、略円筒状マグネット４１ｂに接合したマグネットブロック４１ｃと円周方向で段差が生じてしまうことで（マグネットブロック４１ｃ端部と略円筒状マグネット４１ｂ溝角部）、磁力上の落ち込みを発生させてしまう原因ともなっている。
【００２６】
上記のことより、マグネットブロック４１ｃの表面形状として、図１５に示すように、その上部がＲ形状やテーパ形状をしているものが望ましい。このような表面形状を有することにより、マグネットブロック４１ｃが略円筒状マグネット４１ｂの表面形状よりも凸になることはない。しかしながら、このようなマグネットブロック４１ｃを、従来の方法により略円筒状マグネット４１ｂの溝部Ｄに位置決めし接合するのは難しい。それは、図１６（ａ）に示す従来の方法に対して、マグネットブロック４１ｃの表面がＲ形状やテーパ形状になれば、図１６（ｂ）に示すように、マグネットブロック４１ｃを位置決めする際の挟み込む掴みしろが減少するからである。
【００２７】
そこで、本発明の現像ローラの製造装置では、従来の製造方法では問題となるマグネットブロック４１ｃの位置決め方法として、マグネットブロック４１ｃを挟み込んで固定することにより位置決めするのではなく、マグネットブロック４１ｃを上部より吸着して固定することにより位置決めを行うものである。これにより、略円筒状マグネット４１ｂの溝部Ｄにマグネットブロック４１ｃを接合する際、位置決め精度又は接合後の真直度、円周方向の位置精度の向上が可能となり、現像ローラとしての品質も向上し、かつ生産効率も上がる。
【００２８】
図２は、本発明の現像ローラ製造装置における、マグネットブロック４１ｃを略円筒状マグネット４１ｂの溝部Ｄに対して位置決め、固定するための固定具の構成を示す図である。図２において、左側は固定具１１の正面図、右側は固定具１１の側面図を表し、最下図は固定具１１の底面図を表す。尚、ここでは、略円筒状マグネット４１ｂの１つの溝部Ｄに対して１つのマグネットブロック４１ｂを接合させることについて説明するが、マグネットブロック４１ｂが２つ以上の場合についてもそれぞれ同様の方法で接合を行えばよい。
【００２９】
図２において、固定具１１の先端部、すなわちマグネットブロック４１ｃと当接する部分の形状は、マグネットブロック４１ｃの表面形状に合わせて、フラット形状（図２（ａ））、Ｒ形状（図２（ｂ））、テーパ形状（図２（ｃ））いずれかを選択できる。また、固定具１１表面の中央部は長手方向に渡って切り欠き形状になっている。
【００３０】
固定具１１は、非磁性材料で構成されることが好ましい。固定具１１が磁性材料であると、マグネットブロック４１ｃを固定具１１に固定する際、マグネットブロック４１ｃの磁力により固定具１１に強力に貼りつくため、製造過程でマグネットブロック４１ｃの折れや欠けなどが発生するることがあるからである。固定具１１を非磁性材料とすることで、このような不具合を解消し、マグネットブロック４１ｃの位置決め、固定を精度よく行うことができる。
【００３１】
また、いずれの固定具１１においても、図２側面図に示すように、固定具内部の空気の流出入を行う空気口１１ａが固定具１１表面に高精度に加工されている。この空気口１１ａは、固定具１１長手方向及び／又は幅方向に複数備えるのが好ましい。空気口１１ａを複数設けることにより、以下に述べる空気吸引装置１３により、例えば、幅６ｍｍ、長さ３２０ｍｍあるようなマグネットブロック４１ｃを固定具１１に吸着させることが可能となる。
【００３２】
図３は、マグネットブロック４１ｃの位置決め・固定手段の構成図である。図２と同様、左側が正面図、右側が側面図を表す。固定具１１には、固定具内部の空気を吸引するための空気吸引装置１３が配管１３ａを介して備えられている。この空気吸引装置１３により、固定具１１内部の空気を吸引して固定具１１先端部にマグネットブロック４１ｃを吸着させる構成となっている。
また、固定具１１は、略円筒状マグネット４１ｂの溝部Ｄにマグネットブロック４１ｃを挿入・保持する押し圧プレートの機能も有している。この押し圧プレートは、マグネットブロック４１ｃの軸方向に一体プレート又は複数個の分割されたプレート（以下、「分割プレートユニット」と称する。）によってなり、押し圧プレートの駆動は複数個のシリンダ１４によって上下動される。尚、図３においては、分割プレートユニットの構成を示している。シリンダ１４は圧力制御されていて、複数個のシリンダ全部が一定圧力に到達すると、ある一定時間その状態を保持する。
【００３３】
尚、図３の正面図に示すように、固定具１１のマグネットブロック４１ｃ表面に吸着する部分の幅は、マグネットブロック４１ｃの幅よりも狭いことが好ましい。これにより、マグネットブロック４１ｃの幅よりも固定具１１の幅が外側に出ることが無く、したがって、固定具１１が略円筒状マグネット４１ｂの溝部Ｄに接触して傷付けるようなことなく、マグネットブロック４１ｃの接合が可能となる。
【００３４】
次に、本発明の現像ローラ製造装置におけるマグネットブロック４１ｃの位置決め・固定手段の動作を図４〜図１０を参照して説明する。尚、ここでは、マグネットブロック４１ｃの表面形状がＲ形状の場合について説明するが、他の表面形状、すなわち、フラット形状、テーパ形状である場合には、固定具１１の先端部の形状をマグネットブロック４１ｃの表面形状に合わせて選択する以外は、以下と同様の動作を行えばよい。
【００３５】
（１）マグネットブロック４１ｃのフラット部を下向きにして、受け部１２に固定する（図４）。
（２）マグネットブロック４１ｃの上部表面に固定具１１を当接させる（図５）。
（３）空気吸引装置１３により固定具１１表面の空気口より空気を吸引し、固定具１１にマグネットブロック４１ｃを吸着させる（図５（ａ））。
（４）固定具１１により吸着したマグネットブロック４１ｃを受け部１２より持上げ保持する（図５（ｂ））。
（５）略円筒状マグネット４１ｂの溝部Ｄに、ディスペンサー１６にて接着剤を塗布する（図６）。
（６）固定具１１により吸着したマグネットブロック４１ｃを、（５）の略円筒状マグネット４１ｂの溝部Ｄの上部にセットする（図７）。
（７）マグネットブロック４１ｃを略円筒状マグネット４１ｂの溝部Ｄに挿入し接合する（図８）。
（８）シリンダ１４を駆動し、固定具１１のもう一つの機能である押し圧プレートにより、マグネットブロック４１ｃを加圧する（図９）。
（９）各押し圧プレート１１を押している各シリンダ１４の圧力を圧力制御機器１５により制御し、圧力が一定になり、所定の保持時間をカウントしたら、シリンダ１４の圧力を開放する（図９）。
（１０）マグネットブロック４１ｃに対して固定具１１を開放するため、空気吸引装置１３の吸引を停止する（図９）。
（１１）固定具１１を上昇させる（図１０）。
【００３６】
上記本発明の現像ローラの製造装置により、マグネットブロック４１ｃの表面形状の影響を受けずに固定具１１に吸着させて搬送、位置決めをすることができる。また、マグネットブロック４１ｃの幅方向両端から固定していた固定具も必要としないため、製造装置自体を簡素化することができ、かつ、磁石ローラ体表面に固定具が接触するような不具合も発生することがない。これにより、現像ローラ４１の生産効率を向上させることができる。更に、マグネットブロック４１ｃを幅方向両端から固定具により固定するときと比べ、固定具とマグネットブロック４１ｃの接触により生じる摩擦等で発生するマグネットブロック４１ｃのカス等も軽減でき、装置のメンテナンスが容易になる。
また、マグネットブロック４１ｃの表面形状をＲ形状、テーパ形状にすることも可能であるので、略円筒状マグネット４１ｂの表面形状よりもマグネットブロック４１ｃが凸になり、マグネットブロック４１ｃの角部が磁石ローラ体の円周方向において段差を生じるのを防ぐことができ、磁気特性に優れた現像ローラ４１を生産することができる。
【００３７】
図１１は、本発明に係る現像ローラを備えた画像形成装置の作像部の概略構成図である。図１１において、静電潜像担持体である感光体ドラム１の周囲には、当該ドラム表面を帯電するための帯電装置２、一様帯電処理面に潜像を形成するためのレーザー光線でなる露光３、ドラム表面の潜像に帯電トナーを付着することでトナー像を形成する現像装置４、形成されたドラム上のトナー像を記録紙へ転写するための転写装置５、ドラム上の残留トナーを除去するためのクリーニング装置７、ドラム上の残留電位を除去するための除電ランプ８が順に配設されている。
【００３８】
このような構成において、帯電装置２の帯電ローラによって表面を一様に帯電された感光体１は、露光３によって静電潜像を形成され、現像装置４によってトナー像を形成される。当該トナー像は、転写ベルトなどでなる転写装置５によって、感光体ドラム１表面から、不図示の給紙トレイから搬送された記録紙へ転写される。この転写の際に感光体ドラムに静電的に付着した記録紙は、分離爪によって感光体ドラム１から分離される。そして未定着の記録紙上のトナー像は不図示の定着器によって記録紙に定着される。
一方、転写されずに感光体ドラム１上に残留したトナーは、クリーニング装置７によって除去され回収される。残留トナーを除去された感光体ドラム１は除電ランプ８で初期化され、次回の画像形成プロセスに供される。なお、符号６は、図示しない給紙トレイからの記録紙を、感光体ドラム１上のトナー像にタイミングを合わせて送出するためのレジストローラである。
【００３９】
現像装置４内には、現像剤担持体として本発明の現像ローラ４１が感光体ドラム１に近接するように配置されていて、双方の対向部分には、感光体ドラム１と磁気ブラシが接触する現像領域が形成されている。現像ローラ４１の構成は、図１に示したとおりであり、現像スリーブ４１ａが不図示の回転駆動機構によって図中時計回りに回転されるようになっている。
【００４０】
現像剤の搬送方向（図で見て時計回り方向）における現像領域の上流側部分には、現像剤チェーン穂の穂高さ、即ち、現像スリーブ４１ａ上の現像剤量を規制するドクタブレード４２が設置されている。このドクタブレード４２と現像スリーブ４１ａとの間隔であるドクタギャップは０．４ｍｍに設定されている。更に現像ローラ４１の感光体ドラム１とは反対側領域には、現像装置ケーシング内の現像剤を攪拌しながら現像ローラ４１へ汲み上げるためのスクリュー４４が設置されている。符号４２は入口シール部材である。
【００４１】
上記の画像形成装置により、画像濃度を高くするための条件と、低コントラスト画像を良好に得るための現像条件を高い時点で満足させ、全濃度域にわたって良質な画像を得ることができる。
【図面の簡単な説明】
【００４２】
【図１】本発明に係る現像ローラの構成を示す図である。
【図２】本発明の現像ローラ製造装置における固定具の構成を示す図である。
【図３】マグネットブロックの位置決め・固定手段の構成図である。
【図４】本発明の現像ローラ製造装置におけるマグネットブロックの位置決め・固定手段の動作を説明する図である。
【図５】本発明の現像ローラ製造装置におけるマグネットブロックの位置決め・固定手段の動作を説明する図である。
【図６】本発明の現像ローラ製造装置におけるマグネットブロックの位置決め・固定手段の動作を説明する図である。
【図７】本発明の現像ローラ製造装置におけるマグネットブロックの位置決め・固定手段の動作を説明する図である。
【図８】本発明の現像ローラ製造装置におけるマグネットブロックの位置決め・固定手段の動作を説明する図である。
【図９】本発明の現像ローラ製造装置におけるマグネットブロックの位置決め・固定手段の動作を説明する図である。
【図１０】本発明の現像ローラ製造装置におけるマグネットブロックの位置決め・固定手段の動作を説明する図である。
【図１１】本発明に係る現像ローラを備えた画像形成装置の作像部の概略構成図である。
【図１２】現像ローラの従来の製造方法を説明する図である。
【図１３】従来の現像ローラ製造装置において用いられている、略円筒状マグネットの表面に形成された溝部へのマグネットブロックの位置決め方法を説明する図である。
【図１４】マグネットブロックの形状と略円筒状マグネットの溝部の形状との関係を示す図である。
【図１５】マグネットブロックの別の形状を示す図である。
【図１６】マグネットブロックの表面形状の差異による製造方法の問題点を示す図である。
【符号の説明】
【００４３】
１  感光体ドラム（潜像担持体）
１１  固定具
１１ａ  空気口
１２  受け部
１３  空気吸引装置
１３ａ  配管
１４  シリンダ
１５  圧力制御機器
４１  現像ローラ
４１ａ  スリーブ
４１ｂ  略円筒状マグネット
４１ｃ  マグネットブロック
【図１】
2005266518.tif 000003
【図２】
2005266518.tif 000004
【図３】
2005266518.tif 000005
【図４】
2005266518.tif 000006
【図５】
2005266518.tif 000007
【図６】
2005266518.tif 000008
【図７】
2005266518.tif 000009
【図８】
2005266518.tif 000010
【図９】
2005266518.tif 000011
【図１０】
2005266518.tif 000012
【図１１】
2005266518.tif 000013
【図１２】
2005266518.tif 000014
【図１３】
2005266518.tif 000015
【図１４】
2005266518.tif 000016
【図１５】
2005266518.tif 000017
【図１６】
2005266518.tif 000018